(57)【要約】線形拡張可能なルータは、第１、第２、第３及び第４ルータコンポーネントから構成される。第１、第２及び第３個別リンクにより、第１ルータコンポーネントのルーティングエンジンの入力側と、第２、第３及び第４ルータコンポーネントのルーティングエンジンの入力側とが接続される。同様に、第４及び第５個別リンクにより、第２ルータコンポーネントのルーティングエンジンの入力側と、第３及び第４ルータコンポーネントのルーティングエンジンの入力側とがそれぞれ接続される。最後に、第６個別リンクにより、第３ルータコンポーネントのルーティングエンジンの入力側と、第４ルータコンポーネントのルーティングエンジンの入力側とが接続される。
2005531208.tif 000002
【特許請求の範囲】
【請求項１】
入力側と出力側を有する第１ルーティングエンジンと、
入力側と出力側を有する第２ルーティングエンジンと、
入力側と出力側を有する第３ルーティングエンジンと、
前記第１ルーティングエンジンの入力側と前記第２ルーティングエンジンの入力側とを接続する第１リンクと、
前記第１ルーティングエンジンの入力側と前記第３ルーティングエンジンの入力側とを接続する第２リンクと、
前記第２ルーティングエンジンの入力側と前記第３ルーティングエンジンの入力側とを接続する第３リンクと、
から構成される線形拡張可能なルータであって、
前記第１、第２及び第３ルーティングエンジンは、完全接続トポロジーにより構成されることを特徴とするルータ。
【請求項２】
請求項１記載の線形拡張可能なルータであって、
前記第１、第２及び第３ルーティングエンジンの各々は、前記各自の入力側へのＮ個の入力と、前記各自の出力側からのＭ個の出力とを有し、
該線形拡張可能なルータは、３Ｎ個の入力と３Ｍ個の出力を有する前記第１、第２及び第３ルーティングエンジンから構成される、
ことを特徴とするルータ。
【請求項３】
請求項２記載の線形拡張可能なルータであって、
前記第１リンクは、前記第１ルーティングエンジンへの前記Ｎ個の入力を前記第２ルーティングエンジンの入力側にそれへの第１のＮ個の追加的入力として提供し、前記第２ルーティングエンジンへの前記Ｎ個の入力を前記第１ルーティングエンジンの入力側にそれへの第１のＮ個の追加的入力として提供し、
前記第２リンクは、前記第１ルーティングエンジンへの前記Ｎ個の入力を前記第３ルーティングエンジンの入力側にそれへの第１のＮ個の追加的入力として提供し、前記第３ルーティングエンジンへの前記Ｎ個の入力を前記第１ルーティングエンジンの入力側にそれへの第２のＮ個の追加的入力として提供し、
前記第３リンクは、前記第２ルーティングエンジンへの前記Ｎ個の入力を前記第３ルーティングエンジンの入力側にそれへの第２のＮ個の追加的入力として提供し、前記第３ルーティングエンジンへの前記Ｎ個の入力を前記第２ルーティングエンジンの入力側にそれへの第２のＮ個の追加的入力として提供することを特徴とするルータ。
【請求項４】
請求項１記載の線形拡張可能なルータであって、さらに、
入力側と出力側を有する第４ルーティングエンジンと、
前記第１ルーティングエンジンの入力側と前記第４ルーティングエンジンの入力側とを接続する第４リンクと、
前記第２ルーティングエンジンの入力側と前記第４ルーティングエンジンの入力側とを接続する第５リンクと、
前記第３ルーティングエンジンの入力側と前記第４ルーティングエンジンの入力側とを接続する第６リンクと、
を有し、
前記第１、第２、第３及び第４ルーティングエンジンは、完全接続トポロジーにより構成されることを特徴とするルータ。
【請求項５】
請求項４記載の線形拡張可能なルータであって、
前記第１、第２、第３及び第４ルーティングエンジンの各々は、前記各自の入力側へのＮ個の入力と、前記各自の出力側からのＭ個の出力とを有し、
該線形拡張可能なルータは、４Ｎ個の入力と４Ｍ個の出力を有する前記第１、第２、第３及び第４ルーティングエンジンから構成される、
ことを特徴とするルータ。
【請求項６】
請求項５記載の線形拡張可能なルータであって、
前記第１リンクは、前記第１ルーティングエンジンへの前記Ｎ個の入力を前記第２ルーティングエンジンの入力側にそれへの第１のＮ個の追加的入力として提供し、前記第２ルーティングエンジンへの前記Ｎ個の入力を前記第１ルーティングエンジンの入力側にそれへの第１のＮ個の追加的入力として提供し、
前記第２リンクは、前記第１ルーティングエンジンへの前記Ｎ個の入力を前記第３ルーティングエンジンの入力側にそれへの第１のＮ個の追加的入力として提供し、前記第３ルーティングエンジンへの前記Ｎ個の入力を前記第１ルーティングエンジンの入力側にそれへの第２のＮ個の追加的入力として提供し、
前記第３リンクは、前記第１ルーティングエンジンへの前記Ｎ個の入力を前記第４ルーティングエンジンの入力側にそれへの第１のＮ個の追加的入力として提供し、前記第４ルーティングエンジンへの前記Ｎ個の入力を前記第１ルーティングエンジンの入力側にそれへの第３のＮ個の追加的入力として提供し、
前記第４リンクは、前記第２ルーティングエンジンへの前記Ｎ個の入力を前記第３ルーティングエンジンの入力側にそれへの第２のＮ個の追加的入力として提供し、前記第３ルーティングエンジンへの前記Ｎ個の入力を前記第２ルーティングエンジンの入力側にそれへの第２のＮ個の追加的入力として提供し、
前記第５リンクは、前記第２ルーティングエンジンへの前記Ｎ個の入力を前記第４ルーティングエンジンの入力側にそれへの第２のＮ個の追加的入力として提供し、前記第４ルーティングエンジンへの前記Ｎ個の入力を前記第２ルーティングエンジンの入力側にそれへの第３のＮ個の追加的入力として提供し、
前記第３リンクは、前記第３ルーティングエンジンへの前記Ｎ個の入力を前記第４ルーティングエンジンの入力側にそれへの第３のＮ個の追加的入力として提供し、前記第４ルーティングエンジンへの前記Ｎ個の入力を前記第３ルーティングエンジンの入力側にそれへの第３のＮ個の追加的入力として提供することを特徴とするルータ。
【請求項７】
各自が入力側と出力側を有する少なくとも３つの配信ルータコンポーネントと、
前記少なくとも３つの線形拡張可能な配信ルータコンポーネントを完全接続トポロジーにより接続する手段と、
から構成されることを特徴とする線形拡張可能な配信ルータ。
【請求項８】
請求項７記載の線形拡張可能な配信ルータであって、
前記少なくとも３つの配信ルータコンポーネントの各々の入力側はＮ個の入力を有し、前記少なくとも３つの配信ルータコンポーネントの各々の出力側はＭ個の出力を有することを特徴とする配信ルータ。
【請求項９】
請求項８記載の線形拡張可能な配信ルータであって、
前記少なくとも３つの配信ルータコンポーネントの各々は、さらに、前記各自の入力側と出力側とを接続するルーティングエンジンを有し、
前記接続する手段は、さらに、前記少なくとも３つの配信ルータコンポーネントの各々に対する前記Ｎ個の入力と、前記少なくとも３つの配信ルータコンポーネントのその他のコンポーネントに対する前記ルーティングエンジンとを接続する手段を有する、
ことを特徴とする配信ルータ。
【請求項１０】
線形拡張可能な配信ルータを構築する方法であって、
各自が入力側と出力側を有する第１、第２及び第３ルータを提供するステップと、
第１個別パスを利用して、前記第１ルータの入力側と前記第２ルータの入力側とを接続するステップと、
第２個別パスを利用して、前記第１ルータの入力側と前記第３ルータの入力側とを接続するステップと、
第３個別パスを利用して、前記第２ルータの入力側と前記第３ルータの入力側とを接続するステップと、
から構成される方法。
【請求項１１】
請求項１０記載の方法であって、さらに、
入力側と出力側を有する第４ルータを提供するステップと、
第４個別パスを利用して、前記第１ルータの入力側と前記第４ルータの入力側とを接続するステップと、
第５個別パスを利用して、前記第２ルータの入力側と前記第４ルータの入力側とを接続するステップと、
第６個別パスを利用して、前記第３ルータの入力側と前記第４ルータの入力側とを接続するステップと、
を有することを特徴とする方法。
【発明の詳細な説明】
【発明の詳細な説明】
【０００１】
［相互参照］
本出願は、２００２年６月２１日に出願された米国仮特許出願第６０/３９０，３５８号に関連する。
【０００２】
本出願はまた、同時係属中の米国特許出願ＰＣＴ/（代理人整理番号ＩＵ０１０６２０）、ＰＣＴ/（代理人整理番号ＩＵ０２０１５７）、ＰＣＴ/（代理人整理番号ＩＵ０２０１５８）、ＰＣＴ/（代理人整理番号ＩＵ０２０１５９）、ＰＣＴ/（代理人整理番号ＩＵ０２０１６０）、ＰＣＴ/（代理人整理番号ＩＵ０２０１６１）、ＰＣＴ/（代理人整理番号ＩＵ０２０１６２）、ＰＣＴ/（代理人整理番号ＩＵ０２０２５２）、ＰＣＴ/（代理人整理番号ＩＵ０２０２５３）、ＰＣＴ/（代理人整理番号ＩＵ０２０２５４）及びＰＣＴ/（代理人整理番号ＩＵ０２０２５６）に関連し、そのすべてが本出願の譲受人に譲渡され、参照することによりその全体が再生されるかのようにここに含められる。
［発明の技術分野］
本発明は、配信ルータに関し、より詳細には、完全接続されたトポロジーにより構成される複数のルーティングエンジンを有する線形拡張可能な配信ルータに関する。
［発明の背景］
配信ルータは、それからの複数の出力の各々に、それへの複数の入力の何れかからの信号を割り当てることを可能にする。例えば、Ｎ×Ｍ配信ルータは、Ｎ個の入力とＭ個の出力を備え、それらがＮ入力の何れかがＭ出力の各々に適用されることを可能にするルーティングエンジンにより接続されている。しばしば、４Ｎ×４Ｍ配信ルータなどの大規模な配信ルータを構築することが望ましい。より大規模な配信ルータを構築する１つの解法は、より小規模な配信ルータを提案される大規模な配信ルータの一構成ブロックとして利用することであった。しかしながら、この手法は、提案される大規模な配信ルータの指数的増大をもたらしてしまった。例えば、４Ｎ×４Ｍの配信ルータは、１６Ｎ×Ｍの配信ルータを必要とするものであった。この結果、このような手法により構成される大規模な配信ルータは、しばしば高コストで扱いにくいものであった。線形拡張可能な配信ルータは、幾何的拡張の問題を克服するものであった。しかしながら、従来構成された線形拡張可能な配信ルータには、他のタイプの問題点がある。例えば、しばしば、それらは、複数の配信ルータコンポーネントが１つの断線により機能しなくなる破滅的な故障の影響を受けやすい。
［発明の概要］
線形拡張可能な配信ルータは、完全接続されたトポロジーにより構成される、各自が入力側と出力側を有する少なくとも３つのルーティングエンジンから構成される。第１、第２及び第３ルーティングエンジンから構成される本発明の実施例では、第１個別リンクにより、第１ルーティングエンジンの入力側と第２ルーティングエンジンの入力側とが接続される。同様に、第２個別リンクにより、第１ルーティングエンジンの入力側と第３ルーティングエンジンの入力側とが接続され、第３個別リンクにより、第２ルーティングエンジンの入力側と第３ルーティングエンジンの入力側とが接続される。
［詳細な説明］
まず図１を参照するに、本発明の教示により構成された線形拡張可能な配信ルータ１００がより詳細に説明される。理解されるように、線形拡張可能な配信ルータ１００は、互いに接続され、より大規模な線形拡張可能な配信ルータ１００を形成する複数の配信ルータコンポーネントから構成される。もちろん、各配信ルータコンポーネントは、Ｎ入力と、Ｍ出力と、当該Ｍ出力の何れかと当該Ｎ入力の何れかとを選択的に接続するスイッチング論理などのルーティングエンジンとを有する個別的ルータである。ここで開示されるように、各配信ルータコンポーネントは、Ｎ×Ｍのサイズの配信ルータである。しかしながら、線形拡張可能な配信ルータ１００は、互いに異なるサイズの配信ルータコンポーネントから構成することもできるということは、十分考えられる。
【０００３】
さらにここで開示されるように、線形拡張可能な配信ルータ１００は、第１配信ルータコンポーネント１０２、第２配信ルータコンポーネント１０４、第３配信ルータコンポーネント１０６及び第４配信ルータコンポーネント１０８を接続することにより構成される。もちろん、４つの配信ルータから構成される線形拡張可能な配信ルータ１００の本開示は、純粋に例示的なものである。従って、本発明の教示により構成された線形拡張可能な配信ルータは、線形拡張可能な配信ルータを構成する配信ルータコンポーネントの合計が３以上である限り、他の個数の配信ルータコンポーネントを利用して構成されてもよい。線形拡張可能な配信ルータ１００を構成する第１配信ルータコンポーネント１０２、第２配信ルータコンポーネント１０４、第３配信ルータコンポーネント１０６及び第４配信ルータコンポーネント１０８は、ここで開示される手法により相互接続されるとき、図１に示されるような共通の筺体に一体的に収容されてもよいし、あるいは所望であれば、個別の筺体に収容されてもよい。前述のように、配信ルータコンポーネント１０２、１０４、１０６及び１０８は、互いに異なるサイズを有するものであってもよいし、あるいは、それらすべてが同一のＮ×Ｍのサイズを有するものであってもよい。ここで想定される利用に適しているとわかっている１つのサイズは、２５６×２５６である。さらに、線形拡張可能な配信ルータ１００に適した構成は、各自が２５６×２５６のサイズの５つの配信ルータコンポーネントを接続したものであり、これにより、１，２８０×１，２８０の配信ルータをもたらすことができる。
【０００４】
線形拡張可能な配信ルータ１００の第１配信ルータコンポーネント１０２、第２配信ルータコンポーネント１０４、第３配信ルータコンポーネント１０６及び第４配信ルータコンポーネント１０８は、完全接続されたトポロジーにより接続されている。線形拡張可能な配信ルータの配信ルータコンポーネントが完全接続されたトポロジーにより構成されているとき、各配信ルータコンポーネントは、個別リンクにより、その他すべての配信ルータコンポーネントと接続される。言い換えると、第１双方向リンク１１０、第２双方向リンク１１２及び第３双方向リンク１１４がそれぞれ、第１配信ルータコンポーネント１０２と第２配信ルータコンポーネント１０４、第３配信ルータコンポーネント１０６及び第４配信ルータコンポーネント１０８とを接続する。さらに、第４双方向リンク１１６と第５双方向リンク１１８がそれぞれ、第２配信ルータコンポーネント１０４と第３配信ルータコンポーネント１０６及び第４配信ルータコンポーネント１０８とを接続する。最後に、第６双方向リンク１２０が、第３配信ルータコンポーネント１０６と第４配信ルータコンポーネント１０８とを接続する。双方向リンク１１０〜１２０は、銅線、光ファイバ、あるいはデジタル信号の交換に適すると考えられる他の送信媒体から構成されるものであってもよい。もちろん、図１に示される配信ルータコンポーネントのペア間の単一の双方向リンクではなく、本発明の他の実施例では、配信ルータコンポーネントのペアは第１及び第２一方向リンクにより接続されてもよいと考えられる。
【０００５】
図２を参照するに、線形拡張可能な配信ルータ１００がより詳細に説明される。図示されるように、第１配信ルータコンポーネント１０２、第２配信ルータコンポーネント１０４、第３配信ルータコンポーネント１０６及び第４配信ルータコンポーネント１０８のそれぞれは、Ｎ個のセレクタ１２２−１〜１２２−Ｎを有し、各セレクタの出力がＮ個の入力の１つを配信ルータコンポーネント１０２、１０４、１０６及び１０８に対するルーティングエンジンの入力側に与えるよう構成される。ここで開示されるように、セレクタ１２２−１〜１２２−Ｎのそれぞれは、第１入力１２４−１〜１２４−ＮとしてそれぞれＡＥＳ−３（Ａｕｄｉｏ  Ｅｎｇｉｎｅｅｒｉｎｇ  Ｓｏｃｉｅｔｙ−３）に準拠する入力デジタル音声データストリームと、第２入力１２６−１〜１２６−ＮとしてそれぞれＡＥＳ−１０規格により与えられるＭＡＤＩ（Ｍｕｌｔｉｃｈａｎｎｅｌ  Ｄｉｇｉｔａｌ  Ａｕｄｉｏ  Ｉｎｔｅｒｆａｃｅ）規格に準拠する入力デジタル音声データストリームとを有する２：１セレクタ回路である。これに関して、ＭＡＤＩ入力デジタル音声データストリームは３２までのＡＥＳデジタル音声データストリームを含み、第２入力１２６−１〜１２６−Ｎのそれぞれは抽出回路（図示せず）によりＭＡＤＩ入力デジタル音声データストリームから以前に抽出された単一のＡＥＳデジタル音声データストリームを含むということに注意すべきである。これにより、セレクタ回路１２２−１〜１２２−Ｎのそれぞれの出力は、Ｎ個の入力デジタル音声データストリームの１つを配信ルータコンポーネント１０２、１０４、１０６及び１０８のルーティングエンジンの入力側に与える。セレクタ回路１２２−１〜１２２−Ｎのそれぞれは、さらに、第１入力１２４−１〜１２４−Ｎにおいて与えられるＡＥＳ入力デジタル音声データストリームと、第２入力１２６−１〜１２６−Ｎにおいて与えられるＭＡＤＩ抽出されたＡＥＳ入力デジタル音声データストリームとの間で選択を行うための制御入力（図示せず）を有する。もちろん、ここで開示された入力デジタル音声データストリーム以外の他のタイプの入力データストリームが、配信ルータコンポーネント１０２、１０４、１０６及び１０８による利用に同様に適するということが容易に認識されるべきである。例えば代わりに、配信ルータコンポーネント１０２、１０４、１０６及び１０８は、圧縮映像信号やデータ信号などの他の低帯域幅デジタル信号により利用されてもよいということが考えられる。さらに、小さな変更により、例えば、より高速のハードウェアとして配信ルータコンポーネント１０２、１０４、１０６及び１０８が圧縮されていないデジタル映像信号と共に利用されてもよいということが考えられる。
【０００６】
第１配信ルータコンポーネント１０２、第２配信ルータコンポーネント１０４、第３配信ルータコンポーネント１０６及び第４配信ルータコンポーネント１０８のそれぞれに対して、セレクタ回路１２２−１〜１２２−Ｎのそれぞれが出力する選択された入力デジタル音声データストリームは、ルーティングエンジン１２８の入力側、第１拡張ポート１３０、第２拡張ポート１３２及び第３拡張ポート１３４に供給される。ルーティングエンジン１２８の内部には、ルーティングエンジン１２８の入力側で受信された入力デジタル音声データ信号の何れかを、ルーティングエンジン１２８の出力側の出力ラインの何れかに割り当てるスイッチング手段が備えられる。ルーティングエンジン１２８は、例えば、命令系列としてソフトウェア的に、論理回路系列としてハードウェア的に、あるいはそれらの組み合わせにより実現されてもよいということが考えられる。広い意味では、第１拡張ポート１３０、第２拡張ポート１３２及び第３拡張ポート１３４のそれぞれは、（１）第１配信ルータコンポーネントのセレクタ回路１２２−１〜１２２−Ｎから受け取る入力デジタル音声データストリームと、（２）第２配信ルータコンポーネントの拡張ポートから受け取る入力デジタル音声データストリームとが、その送信先への転送前にバッファリング可能なメモリサブシステムと、（１）セレクタ回路１２２−１〜１２２−Ｎから受け取る入力デジタル音声データストリームの第２配信ルータコンポーネントの拡張ポートへの転送と、（２）第２配信ルータコンポーネントの拡張ポートから受け取る入力デジタル音声データストリームの第１配信ルータコンポーネントのルーティングエンジン１２８の入力側への転送とを制御するプロセッササブシステムとから構成される。
【０００７】
図３を参照するに、第１拡張ポート１３０、第２拡張ポート１３２及び第３拡張ポート１３４がより詳細に説明される。これに関して、ここでは第１配信ルータコンポーネント１０２の第１拡張ポート１３０が説明及び例示されているが、第１配信ルータコンポーネントの第２拡張ポート１３２及び第３拡張ポート１３４、及び第２配信ルータコンポーネント１０４、第３配信ルータコンポーネント１０６及び第４配信ルータコンポーネント１０８の第１拡張ポート１３０、第２拡張ポート１３２及び第３拡張ポート１３４が同様に構成されるが、以下の説明はこれらの拡張ポートにもまた同様に適用することができるということに注意すべきである。図３に示されるように、第１拡張ポート１３０は、第１メモリスペース１４２と第２メモリスペース１４４とを有する。第１メモリスペース１４２と第２メモリスペース１４４とは、第１及び第２個別メモリ装置から構成されてもよいし、あるいは図３に示されるように、共通のメモリ装置内部の第１及び第２個別アドレススペースから構成されてもよい。
【０００８】
拡張ポート１３０はさらに、コントローラなどの、拡張ポート１３０により受け取る入力デジタル音声データストリームのその最終的な送信先への転送を制御する制御論理１４６を有する。より詳細には、セレクタ回路１３０−１などの拡張ポート１３０に接続されたセレクタ回路から出力される入力デジタル音声データストリームが、第１メモリスペース１４２に一時的に格納またはバッファリングされる。その後、コントローラ１４６は、第１メモリスペース１４２に格納されているデジタル音声データを、第２配信ルータコンポーネント１０４の拡張ポート１３０の第２メモリスペース１４４に転送する。同様に、第２配信ルータコンポーネント１０４の拡張ポート１３０の第１メモリスペース１４２に格納されているデジタル音声データが、第２メモリスペース１４４に転送される。第２メモリスペース１４４から、コントローラ１４６は、第２配信ルータコンポーネント１０４から受け取ったデジタル音声データを第１配信ルータコンポーネント１０２のルーティングエンジン１２８の入力側に転送する。もちろん、拡張ポート１３０の設定及び動作は、１つの装置とデジタル音声データの転送に適した関連するプロセスであり、他の装置及び/またはバッファリング及び/またはファースト・イン・ファースト・アウト（「ＦＩＦＯ」）スキームに関するプロセスが、ここで開示された目的に対し等しく適用可能であるということが十分考えられる。
【０００９】
個別的な入力デジタル音声データストリームが第１配信ルータコンポーネント１０２、第２配信ルータコンポーネント１０４、第３配信ルータコンポーネント１０６及び第４配信ルータコンポーネント１０８のそれぞれのセレクタ１２２−１〜１２２−Ｎのそれぞれから出力されるとき、第１配信ルータコンポーネント１０２のルーティングエンジン１２８の入力側、第１拡張ポート１３０、第２拡張ポート１３２及び第３拡張ポート１３４のそれぞれに与えられる入力デジタル音声データストリームは、音声データ入力ストリーム１〜Ｎとなっている。同様に、第２配信ルータコンポーネント１０４のルーティングエンジン１２８の入力側、第１拡張ポート１３０、第２拡張ポート１３２及び第３拡張ポート１３４のそれぞれに与えられる入力デジタル音声データストリームは、音声データ入力ストリームＮ＋１〜２Ｎとなり、第３配信ルータコンポーネント１０６のルーティングエンジン１２８の入力側、第１拡張ポート１３０、第２拡張ポート１３２及び第３拡張ポート１３４のそれぞれに与えられる入力デジタル音声データストリームは、音声データ入力ストリーム２Ｎ＋１〜３Ｎとなり、第４配信ルータコンポーネント１０８のルーティングエンジン１２８の入力側、第１拡張ポート１３０、第２拡張ポート１３２及び第３拡張ポート１３４のそれぞれに与えられる入力デジタル音声データストリームは、音声データ入力ストリーム３Ｎ＋１〜４Ｎとなっている。
【００１０】
４Ｎ×４Ｍの配信ルータとして機能するため、第１配信ルータコンポーネント１０２、第２配信ルータコンポーネント１０４、第３配信ルータコンポーネント１０６及び第４配信ルータコンポーネント１０８の各自のルーティングエンジン１２８は、それの入力側への入力として与えられる入力デジタル音声データストリーム１〜４Ｎのすべてを有する必要がある。第１配信ルータコンポーネント１０２に対して、入力デジタル音声データストリーム１〜Ｎが、ルーティングエンジン１２８の入力側に直接与えられる。他方、拡張ポート１３０、１３２及び１３４に入力される入力デジタル音声データストリーム１〜Ｎは、リンク１１０を介して第２配信ルータコンポーネント１０４の拡張ポート１３０に、リンク１１２を介して第３配信ルータコンポーネント１０６の拡張ポート１３２に、リンク１１４を介して第４配信ルータコンポーネント１０８の拡張ポート１３０にそれぞれ転送される。第２配信ルータコンポーネント１０４の拡張ポート１３０と、第３配信ルータコンポーネント１０６の拡張ポート１３２と、第４配信ルータコンポーネント１０８の拡張ポート１３０とからそれぞれ、入力デジタル音声データストリーム１〜Ｎ、第２配信ルータコンポーネント１０４、第３配信ルータコンポーネント１０６及び第４配信ルータコンポーネント１０８のルーティングエンジン１２８の入力側に転送される。
【００１１】
同様に、第２配信ルータコンポーネント１０４に対して、入力デジタル音声データストリームＮ＋１〜２Ｎが、ルーティングエンジン１２８の入力側に直接与えられる。他方、拡張ポート１３０、１３２及び１３４に入力される入力デジタル音声データストリームＮ＋１〜２Ｎは、リンク１１０を介して第１配信ルータコンポーネント１０２の拡張ポート１３０に、リンク１１８を介して第４配信ルータコンポーネント１０８の拡張ポート１３２に、リンク１１６を介して第３配信ルータコンポーネント１０６の拡張ポート１３０にそれぞれ転送される。第１配信ルータコンポーネント１０２の拡張ポート１３０と、第４配信ルータコンポーネント１０８の拡張ポート１３２と、第３配信ルータコンポーネント１０６の拡張ポート１３０とからそれぞれ、入力デジタル音声データストリームＮ＋１〜２Ｎは、第１配信ルータコンポーネント１０２、第４配信ルータコンポーネント１０８及び第３配信ルータコンポーネント１０６のルーティングエンジン１２８の入力側に転送される。
【００１２】
第３配信ルータコンポーネント１０６に対して、入力デジタル音声データストリーム２Ｎ＋１〜３Ｎは、ルーティングエンジン１２８の入力側に直接与えられる。他方、拡張ポート１３０、１３２及び１３４に入力される入力デジタル音声データストリーム２Ｎ＋１〜３Ｎは、リンク１１６を介して第２配信ルータコンポーネント１０４の拡張ポート１３４に、リンク１１２を介して第１配信ルータコンポーネント１０２の拡張ポート１３２に、リンク１２０を介して第４配信ルータコンポーネント１０８の拡張ポート１３４にそれぞれ転送される。第２配信ルータコンポーネント１０４の拡張ポート１３４と、第１配信ルータコンポーネント１０２の拡張ポート１３２と、第４配信ルータコンポーネント１０８の拡張ポート１３４とからそれぞれ、入力デジタル音声データストリーム２Ｎ＋１〜３Ｎは、第２配信ルータコンポーネント１０４、第１配信ルータコンポーネント１０２及び第４配信ルータコンポーネント１０８のルーティングエンジン１２８の入力側に転送される。
【００１３】
最後に、第４配信ルータコンポーネント１０８に対して、入力デジタル音声データストリーム３Ｎ＋１〜４Ｎは、ルーティングエンジン１２８の入力側に直接与えられる。他方、拡張ポート１３０、１３２及び１３４に入力される入力デジタル音声データストリーム３Ｎ＋１〜４Ｎは、リンク１１４を介して第１配信ルータコンポーネント１０２の拡張ポート１３４に、リンク１１８を介して第２配信ルータコンポーネント１０４の拡張ポート１３２に、リンク１２０を介して第４配信ルータコンポーネント１０８の拡張ポート１３４にそれぞれ転送される。第１配信ルータコンポーネント１０２の拡張ポート１３４と、第２配信ルータコンポーネント１０４の拡張ポート１３２と、第４配信ルータコンポーネント１０８の拡張ポート１３４とからそれぞれ、入力デジタル音声データストリーム３Ｎ＋１〜４Ｎは、第１配信ルータコンポーネント１０２、第２配信ルータコンポーネント１０４及び第４配信ルータコンポーネント１０８のルーティングエンジン１２８の入力側に転送される。このようにして、第１配信ルータコンポーネント１０２、第２配信ルータコンポーネント１０４、第３配信ルータコンポーネント１０６及び第４配信ルータコンポーネント１０８の各自のルーティングエンジン１２８は、その入力側において、入力デジタル音声データストリーム１〜４Ｎを受け取る。
【００１４】
第１配信ルータコンポーネント１０２のルーティングエンジン１２８の内部では、スイッチ論理または他のスイッチング手段により、入力デジタル音声データストリーム１〜４Ｎの何れもが、それの出力１〜Ｍの何れかに印加されることを可能にする。同様に、第２配信ルータコンポーネント１０４、第３配信ルータコンポーネント１０６及び第４配信ルータコンポーネント１０８のルーティングエンジン１２８の内部のスイッチ論理または他のスイッチング手段により、入力デジタル音声データストリーム１〜４Ｎの何れもが、それの出力Ｍ＋１〜２Ｍ、２Ｍ＋１〜３Ｍ及び３Ｍ＋１〜４Ｍの何れかに印加されることを可能にする。ルーティングエンジン１２８内部のスイッチング回路または他のスイッチング手段は、線形拡張可能な配信ルータ１００のコントローラ（図示せず）または他の制御回路において与えられる１以上の制御入力により制御される。
【００１５】
第１配信ルータコンポーネント１０２、第２配信ルータコンポーネント１０４、第３配信ルータコンポーネント１０６及び第４配信ルータコンポーネント１０８のルーティングエンジン１２８の出力側から出力される１〜Ｍ、Ｍ＋１〜２Ｍ、２Ｍ＋１〜３Ｍ及び３Ｍ＋１〜４Ｍのデジタル音声データストリームのそれぞれは、対応するセレクタ１３６−１〜１３６−Ｍに伝搬される。ここで開示されるように、セレクタ１３６−１〜１３６−Ｍのそれぞれは、ルーティングエンジン１２８の対応する出力に接続される入力と、ＡＥＳ−３規格に準拠した出力デジタル音声データストリームを送信するよう構成される第１出力１３８−１〜１３８−Ｍと、ＭＡＤＩ規格に準拠した出力デジタル音声データストリームを送信するよう構成される第２出力１４０−１〜１４０−Ｍとを有する１：２セレクタ回路である。もちろん、前述のように、ＭＡＤＩ入力デジタル音声データストリームは、３２までのＡＥＳデジタル音声データストリームを含んでもよいため、第２出力１４０−１〜１４０−Ｍのそれぞれは、実際には、ＭＡＤＩ出力デジタル音声データストリームを生成するため、合成回路（図示せず）により他のＡＥＳデジタル音声ストリームと以降において合成される単一のＡＥＳデジタル音声ストリームを含むであろう。セレクタ回路１３６−１〜１３６−Ｍのそれぞれは、さらに、ＡＥＳ−３出力デジタル音声データストリームとＭＡＤＩ出力デジタル音声データストリームとの間での選択を行うための制御入力（図示せず）を有する。
【００１６】
図面には図示されない本発明の他の実施例では、配信ルータコンポーネント１０２、１０４、１０６及び１０８が、ＡＥＳ−３規格、ＭＡＤＩ規格あるいはここで具体的には記載しない他の規格などの単一の規格に殉教する入力デジタル音声データストリームを処理するよう構成される場合、セレクタ回路１２２−１〜１２２−Ｎ及び１３６−１〜１３６−Ｍは省略されてもよい。しかしながら、この構成によると、第１配信ルータコンポーネント１０２、第２配信ルータコンポーネント１０４、第３配信ルータコンポーネント１０６及び第４配信ルータコンポーネント１０８のそれぞれに対するＮ個の入力デジタル音声データストリームのそれぞれは、ルーティングエンジン１２８、第１拡張ポート１３０、第２拡張ポート１３２及び第３拡張ポート１３４に直接与えられる。この構成によると、さらに、第１配信ルータコンポーネント１０２、第２配信ルータコンポーネント１０４、第３配信ルータコンポーネント１０６及び第４配信ルータコンポーネント１０８に対するルーティングエンジン１２８から出力されるＭ個の出力デジタル音声データストリームのそれぞれは、線形拡張可能な配信ルータ１００自体の出力となる。
【００１７】
次に、図４を参照するに、線形拡張可能な配信ルータ１００の他の実施例がより詳細に説明される。図示されるように、第１配信ルータコンポーネント１０２、第２配信ルータコンポーネント１０４、第３配信ルータコンポーネント１０６及び第４配信ルータコンポーネント１０８のそれぞれに対して、第１拡張ポート１３０、第２拡張ポート１３２及び第３拡張ポート１３４が、送信（「ＴＸ」）拡張ポート１４８、第１受信拡張ポート１５０、第２受信拡張ポート１５２及び第３受信拡張ポート１５４のために除去される。「送信」拡張ポートという用語は、ここでは、複数の受信拡張ポートである選択された送信先にデータを送信する拡張ポートを呼ぶものである。同様に、「受信」拡張ポートという用語は、送信拡張ポートからデータ受信する拡張ポートを呼ぶものである。広い意味では、与えられた配信ルータコンポーネントの各送信拡張ポートは、セレクタ回路１２２−１〜１２２−Ｎから受信した入力デジタル音声データストリームが、複数の送信先への転送前にバッファリングされるメモリサブシステムと、セレクタ回路１２２−１〜１２２−Ｎから受信する入力デジタル音声データストリームのその他の配信ルータコンポーネントのそれぞれの受信拡張ポートへの転送を制御するプロセッササブシステムとから構成される。他方、与えられた配信ルータコンポーネントの第１受信拡張ポート１５０、第２受信拡張ポート１５２及び第３受信拡張ポートのそれぞれは、広い意味で、他の配信ルータコンポーネントの送信拡張ポートから受信した入力デジタル音声データストリームが、それの送信先への転送前にバッファリングされるメモリサブシステムと、その他の配信ルータコンポーネントの送信拡張ポートから受信した入力デジタル音声データストリームの当該配信ルータコンポーネントのルーティングエンジンの入力への転送を制御するプロセッササブシステムとから構成される。
【００１８】
第１配信ルータコンポーネント１０２、第２配信ルータコンポーネント１０４、第３配信ルータコンポーネント１０６及び第４配信ルータコンポーネント１０８のそれぞれに対して、セレクタ回路１２２−１〜１２２−Ｎのそれぞれから出力された選択された入力デジタル音声データストリームが、ルーティングエンジン１２８の入力側と送信拡張ポート１４８に供給される。個々の入力デジタル音声データストリームが、第１配信ルータコンポーネント１０２、第２配信ルータコンポーネント１０４、第３配信ルータコンポーネント１０６及び第４配信ルータコンポーネント１０８のそれぞれのセレクタ１２２−１〜１２２−Ｎのそれぞれから出力されると、第１配信ルータコンポーネント１０２のルーティングエンジン１２８の入力側と送信拡張ポート１４８のそれぞれに与えられる入力デジタル音声データストリームは、音声データ入力ストリーム１〜Ｎとなる。同様に、第２配信ルータコンポーネント１０４のルーティングエンジン１２８の入力側と送信拡張ポート１４８のそれぞれに与えられる入力デジタル音声データストリームは、入力デジタル音声データストリームＮ＋１〜２Ｎとなり、第３配信ルータコンポーネント１０６のルーティングエンジン１２８の入力側と送信拡張ポート１４８のそれぞれに与えられる入力デジタル音声データストリームは、入力デジタル音声データストリーム２Ｎ＋１〜３Ｎとなり、第４配信ルータコンポーネント１０８のルーティングエンジン１２８の入力側と送信拡張ポート１４８のそれぞれに与えられる入力デジタル音声データストリームは、入力デジタル音声データストリーム３Ｎ＋１〜４Ｎとなる。
【００１９】
前述のように、４Ｎ×４Ｍの配信ルータとして機能するため、第１配信ルータコンポーネント１０２、第２配信ルータコンポーネント１０４、第３配信ルータコンポーネント１０６及び第４配信ルータコンポーネント１０８のそれぞれのルーティングエンジン１２８は、それの入力側への入力として与えられる入力デジタル音声データストリーム１〜４Ｎのすべてを有する必要がある。第１配信ルータコンポーネント１０２に対して、入力デジタル音声データストリーム１〜Ｎが、ルーティングエンジン１２８の入力側に直接与えられる。他方、送信拡張ポート１４８に入力される入力デジタル音声データストリーム１〜Ｎは、リンク１１０を介して第２配信ルータコンポーネント１０４の第１受信拡張ポート１５０に、リンク１１２を介して第３配信ルータコンポーネント１０６の第２受信拡張ポート１５２に、リンク１１４を介して第４配信ルータコンポーネント１０８の第１受信拡張ポート１５０に転送される。第２配信ルータコンポーネント１０４の第１受信拡張ポート１５０と、第３配信ルータコンポーネント１０６の第２受信拡張ポート１５２と、第４配信ルータコンポーネント１０８の第１受信拡張ポート１５０とからそれぞれ、入力デジタル音声データストリーム１〜Ｎが、第２配信ルータコンポーネント１０４、第３配信ルータコンポーネント１０６及び第４配信ルータコンポーネント１０８のルーティングエンジン１２８の入力側に転送される。
【００２０】
同様に、第２配信ルータコンポーネント１０４に対して、入力デジタル音声データストリームＮ＋１〜２Ｎが、ルーティングエンジン１２８の入力側に直接与えられる。他方、送信拡張ポート１４８に入力される入力デジタル音声データストリームＮ＋１〜２Ｎは、リンク１１０を介して第１配信ルータコンポーネント１０２の第１受信拡張ポート１５０に、リンク１１６を介して第３配信ルータコンポーネント１０６の第１受信拡張ポート１５０に、リンク１１８を介して第３配信ルータコンポーネント１０６の第２受信拡張ポート１５２に転送される。第２配信ルータコンポーネント１０４の第１受信拡張ポート１５０と、第３配信ルータコンポーネント１０６の第１受信拡張ポート１５０と、第４配信ルータコンポーネント１０８の第２受信拡張ポート１５２とからそれぞれ、入力デジタル音声データストリームＮ＋１〜２Ｎが、第２配信ルータコンポーネント１０４、第３配信ルータコンポーネント１０６及び第４配信ルータコンポーネント１０８のルーティングエンジン１２８の入力側に転送される。
【００２１】
第３配信ルータコンポーネント１０６に対して、入力デジタル音声データストリーム２Ｎ＋１〜３Ｎが、ルーティングエンジン１２８の入力側に直接与えられる。他方、送信拡張ポート１４８に入力される入力デジタル音声データストリーム２Ｎ＋１〜３Ｎは、リンク１１２を介して第１配信ルータコンポーネント１０２の第２受信拡張ポート１５２に、リンク１１６を介して第２配信ルータコンポーネント１０４の第３受信拡張ポート１５４に、リンク１２０を介して第４配信ルータコンポーネント１０８の第３受信拡張ポート１５４に転送される。第１配信ルータコンポーネント１０２の第２受信拡張ポート１５２と、第２配信ルータコンポーネント１０４の第３受信拡張ポート１５４と、第４配信ルータコンポーネント１０８の第３受信拡張ポート１５４とからそれぞれ、入力デジタル音声データストリーム２Ｎ＋１〜３Ｎが、第１配信ルータコンポーネント１０２、第２配信ルータコンポーネント１０４及び第４配信ルータコンポーネント１０８のルーティングエンジン１２８の入力側に転送される。
【００２２】
最後に、第４配信ルータコンポーネント１０８に対して、入力デジタル音声データストリーム３Ｎ＋１〜４Ｎが、ルーティングエンジン１２８の入力側に直接与えられる。他方、送信拡張ポート１４８に入力される入力デジタル音声データストリーム３Ｎ＋１〜４Ｎは、リンク１１４を介して第１配信ルータコンポーネント１０２の第３受信拡張ポート１５４に、リンク１１８を介して第２配信ルータコンポーネント１０４の第２受信拡張ポート１５２に、リンク１２０を介して第３配信ルータコンポーネント１０６の第３受信拡張ポート１５４に転送される。第１配信ルータコンポーネント１０２の第３受信拡張ポート１５４と、第２配信ルータコンポーネント１０４の第２受信拡張ポート１５２と、第４配信ルータコンポーネント１０８の第３受信拡張ポート１５４とからそれぞれ、入力デジタル音声データストリーム３Ｎ＋１〜４Ｎが、第１配信ルータコンポーネント１０２、第２配信ルータコンポーネント１０４及び第４配信ルータコンポーネント１０８のルーティングエンジン１２８の入力側に転送される。このようにして、第１配信ルータコンポーネント１０２、第２配信ルータコンポーネント１０４、第３配信ルータコンポーネント１０６及び第４配信ルータコンポーネント１０８のそれぞれのルーティングエンジン１２８は、それの入力側において、入力デジタル音声データストリーム１〜４Ｎを受信する。その後さらに、第１配信ルータコンポーネント１０２、第２配信ルータコンポーネント１０４、第３配信ルータコンポーネント１０６及び第４配信ルータコンポーネント１０８による入力デジタル音声ストリーム１〜４Ｎの処理が、図２に関して上述したような方法により行われる。
【００２３】
これより、線形拡張可能な配信ルータを構成する複数の配信ルータコンポーネント間における完全接続されたトポロジーを利用することにより、複数のバス構成を用いて複数の配信ルータコンポーネントを相互接続する従来の線形拡張可能な配信ルータに対して、より向上した耐故障性を実現するロウバストな線形拡張可能な配信ルータが、ここで開示及び例示された。ここでは、本発明の好適な実施例が例示及び説明されたが、本発明の趣旨または教示から逸脱することなく、本発明が属する技術分野の当業者により、様々な修正及び他の変更が可能である。従って、保護範囲は、ここで開示された実施例に限定されるのでなく、以下のクレームによってのみ限定される。
【図面の簡単な説明】
【００２４】
【図１】図１は、本発明の教示により構成される線形的拡張可能な配信ルータのブロック図である。
【図２Ａ】図２Ａは、図１の線形的拡張可能な配信ルータの第１実施例の拡大されたブロック図である。
【図２Ｂ】図２Ｂは、図１の線形的拡張可能な配信ルータの第１実施例の拡大されたブロック図である。
【図２Ｃ】図２Ｃは、図１の線形的拡張可能な配信ルータの第１実施例の拡大されたブロック図である。
【図２Ｄ】図２Ｄは、図１の線形的拡張可能な配信ルータの第１実施例の拡大されたブロック図である。
【図３】図３は、図２の線形的拡張可能な配信ルータの配信ルータコンポーネントの拡張ポートの拡大されたブロック図である。
【図４Ａ】図４Ａは、図１線形拡張可能な配信ルータの第２及び他の実施例の拡大されたブロック図である。
【図４Ｂ】図４Ｂは、図１線形拡張可能な配信ルータの第２及び他の実施例の拡大されたブロック図である。
【図４Ｃ】図４Ｃは、図１線形拡張可能な配信ルータの第２及び他の実施例の拡大されたブロック図である。
【図４Ｄ】図４Ｄは、図１線形拡張可能な配信ルータの第２及び他の実施例の拡大されたブロック図である。
【図１】
2005531208.tif 000003
【図２Ａ】
2005531208.tif 000004
【図２Ｂ】
2005531208.tif 000005
【図２Ｃ】
2005531208.tif 000006
【図２Ｄ】
2005531208.tif 000007
【図３】
2005531208.tif 000008
【図４Ａ】
2005531208.tif 000009
【図４Ｂ】
2005531208.tif 000010
【図４Ｃ】
2005531208.tif 000011
【図４Ｄ】
2005531208.tif 000012
【国際調査報告】
2005531208.tif 000013